(57)【要約】  【課題】  湯水の混合を所望の混合比となるように良好に行える湯水混合水栓を提供すること。  【解決手段】  ほぼ筒状の弁体１を挟むように湯弁座２および水弁座３を設け、湯弁座２に対する弁体１の開度に応じた流量の湯が弁体１の上流部から弁体１内に入り、水弁座３に対する弁体１の開度に応じた流量の水が弁体１の下流部から弁体１内に入り、弁体１内を経てその下流側にある混合部４に至った前記湯または前記水またはそれらを混合してなる混合水を外部に吐出するように構成された湯水混合水栓であって、前記弁体１に、弁体１と水弁座３との間を経た水をその外側から内側に導入するための導入路が形成されており、弁体１の内壁における前記導入路の内側に相当する位置に、前記水を下流側へとガイドするためのガイド部１８を設けてある。  【選択図】  図１
2005240972.tif 000002
【特許請求の範囲】
【請求項１】
ほぼ筒状の弁体を挟むように湯弁座および水弁座を設け、湯弁座に対する弁体の開度に応じた流量の湯が弁体の上流部から弁体内に入り、水弁座に対する弁体の開度に応じた流量の水が弁体の下流部から弁体内に入り、弁体内を経てその下流側にある混合部に至った前記湯または前記水またはそれらを混合してなる混合水を外部に吐出するように構成された湯水混合水栓であって、前記弁体に、弁体と水弁座との間を経た水をその外側から内側に導入するための導入路が形成されており、弁体の内壁における前記導入路の内側に相当する位置に、前記水を下流側へとガイドするためのガイド部を設けてあることを特徴とする湯水混合水栓。
【発明の詳細な説明】
【技術分野】
【０００１】
この発明は、例えば、湯と水との混合比を変える弁体を備え、自動温度調整機能を持つ湯水混合水栓に関する。
【背景技術】
【０００２】
例えば浴室や洗面台などに設置される自動温度調整機能を持つ湯水混合水栓として、ほぼ筒状の弁体を挟むように湯弁座および水弁座を設け、湯弁座に対する弁体の開度に応じた流量の湯が弁体の上流部から弁体内に入り、水弁座に対する弁体の開度に応じた流量の水が弁体の中央部から弁体内に入り、弁体内を経てその下流側にある混合部に至った前記湯または前記水またはそれらを混合してなる混合水を外部に吐出するように構成され、また、混合部中に設けた感温作動部により前記弁体を移動させ、湯および水の混合比を自動調整するように構成されたものがある。上記構成からなる湯水混合水栓では、例えば給湯・給水圧の変動などによって湯および水の混合比が変わり、それを受けて混合水の温度が変化しても、すぐにその温度を元の設定温度に戻すことができる。
【特許文献１】特開平８−２３３１５３号公報
【発明の開示】
【発明が解決しようとする課題】
【０００３】
しかし、水弁座と弁体との間から弁体内に導入される水の圧が、湯弁座と弁体との間から弁体内に導入される湯の圧よりもはるかに高いことが多く、この場合、弁体内に導入された圧力の高い水によって湯の流れが阻止されてしまい、混合水の温度が充分に上昇しないおそれがあった。
【０００４】
この発明は上述の事柄に留意してなされたもので、その目的は、湯水の混合を所望の混合比となるように良好に行える湯水混合水栓を提供することである。
【課題を解決するための手段】
【０００５】
上記目的を達成するために、この発明の湯水混合水栓は、ほぼ筒状の弁体を挟むように湯弁座および水弁座を設け、湯弁座に対する弁体の開度に応じた流量の湯が弁体の上流部から弁体内に入り、水弁座に対する弁体の開度に応じた流量の水が弁体の下流部から弁体内に入り、弁体内を経てその下流側にある混合部に至った前記湯または前記水またはそれらを混合してなる混合水を外部に吐出するように構成された湯水混合水栓であって、前記弁体に、弁体と水弁座との間を経た水をその外側から内側に導入するための導入路が形成されており、弁体の内壁における前記導入路の内側に相当する位置に、前記水を下流側へとガイドするためのガイド部を設けてある（請求項１）。
【発明の効果】
【０００６】
請求項１に係る湯水混合水栓では、ガイド部を設けているので、弁体の下流部から弁体内に導入される水の圧が高くても、この水が弁体の上流部へと向かうことを防止し、弁体の下流部にある混合部へと送ることができる。従って、弁体の上流部から弁体内への湯の導入が前記水によって阻止されるのを確実に防ぐことができる。さらに、弁体の下流部から混合部に向けて水が流れる際、いわゆるエジェクター効果により、前記湯が弁体の上流部から下流部に向けて吸引されるようにして流れるので、これによっても、水と、この水に比べて圧力の低い湯とを所定の混合比で良好に混合することができるという効果が確実なものとなり、混合された混合水の温度が非常に安定する。
【発明を実施するための最良の形態】
【０００７】
図１および図２はこの発明の一実施例を示し、図１は、この発明の一実施例に係る湯水混合水栓の構成を概略的に示す説明図、図２（Ａ）および（Ｂ）は、湯水混合水栓の弁体１の構成を概略的に示す縦断面図および背面図である。
この実施例の湯水混合水栓は、図１に示すように、ほぼ筒状の弁体１を挟むように湯弁座２および水弁座３を設け、湯弁座２に対する弁体１の開度に応じた流量の湯が弁体１の上流部から弁体１内に入り、水弁座３に対する弁体１の開度に応じた流量の水が弁体１の下流部から弁体１内に入り、弁体１内を経てその下流側にある混合部４に至った前記湯または前記水またはそれらを混合してなる混合水を外部に吐出するように構成されている。また、湯弁座２に対する開度が小さくなる方向に弁体１を付勢する形状記憶合金よりなるコイル状の感温スプリング５を混合部内に設け、この感温スプリング５により弁体１を移動させ、湯および水の混合比を自動調整するように構成されている。
【０００８】
詳しくは、弁体１は図中左右方向に摺動可能な状態でハウジング６内に収容されている。そして、この弁体１は、混合部４内に配置された感温スプリング５によりほぼ筒状のスライド部材７を介して図中左側に付勢されている。なお、スライド部材７は、弁体１の図中右端部において周方向にほぼ等間隔に設けられた複数（この実施例では６個）のブリッジ１ａ（図２（Ａ）および（Ｂ）参照）に当接しており、隣り合うブリッジ１ａ間に、弁体１と水弁座３との間を経た水を弁体１の外側から内側に導入するための導入路１ｂ（図２（Ａ）および（Ｂ）参照）が形成されている。
【０００９】
また、弁体１の内側には、縦断面十字形状のリブ１ｃが連設されており、このリブ１ｃは、湯弁座２を形成する湯弁座部材８を挿通したシャフト９の一端に当接している。そして、このシャフト９は、図中左右方向に移動可能となっており、バイアススプリング１０によって図中右側に付勢されている。すなわち、弁体１は、シャフト９を介してバイアススプリング１０によって図中右側に付勢されている。
【００１０】
１１は温度調節ハンドル１２の栓棒１２ａに連設されたスクリュー棒、１３はこのスクリュー棒１２が噛合する溝を有し、温度調節ハンドル１２の回動に連動して図中左右方向にスライドするほぼ筒状の連動部材である。なお、前記バイアススプリング１０の図中左端は、連動部材１３に当接している。
【００１１】
すなわち、弁体１は、感温スプリング５による図中左側への付勢と、バイアススプリング１０による図中右側への付勢との釣り合いによってその位置が保たれ、温度調節ハンドル１２を回動操作すると、連動部材１３のバイアススプリング１０に対する付勢力が変化し、これにより、弁体１が図中左右方向に移動することになる。
【００１２】
なお、１４および１５はハウジング６に設けられた湯導入口および水導入口、１６は弁体１の外周壁に設けられた環状のパッキンである。また、１７はハウジング６内に挿入配置され、水弁座３を形成する水弁座部材である。
【００１３】
ここまでの構成は、従来の湯水混合水栓と変わるところがない。そして、この実施例の湯水混合水栓は、弁体１の内壁における導入路１ｂの内側に相当する位置に、弁体１と水弁座３との間を通り抜けた水を下流側へとガイドするためのガイド部１８を設けてある点に特徴がある。
【００１４】
前記ガイド部１８は、環状で、かつ、その下流側の面が、内側ほど下流側に位置するように構成されている。
【００１５】
上記の構成からなる湯水混合水栓では、湯導入口１４からハウジング６内に進入した湯は、弁体１と湯弁座２との間を通り、弁体１の上流部（上流端）から弁体１内に入る。一方、水導入口１５からハウジング６内に進入した水は、弁体１と水弁座３との間を通り、弁体１の下流部に設けられた導入路１ｂを経て弁体１内に入る。そして、弁体１内に入り、その下流側の混合部４に至った湯または水またはそれらを混合してなる混合水は、湯水混合水栓の外部に吐出される。
【００１６】
ここで、例えば給湯・給水圧の変動などによって混合部４における湯および水の混合比が変わり、混合水の温度が高くなると、混合部４内の感温スプリング５がその軸線方向に伸び、それに伴って弁体１が湯弁座２側へと移動し、水の流量比が増えて、混合水の温度が元に戻る。反対に、混合水の温度が低くなった場合には、前記感温スプリング５がその軸線方向に縮み、それに伴って弁体１が水弁座３側へと移動し、湯の流量比が増えて、混合水の温度が元に戻る。このようにして、混合水の自動温度調整が行われる。
【００１７】
なお、この発明は上記の実施の形態に限られず、種々に変形して実施することができる。例えば、上記の実施の形態では、ガイド部１８は、環状で、かつ、その下流側の面が、内側ほど下流側に位置するように構成されているが、このような構成に限られず、ガイド部１８の下流側の面が、図３（Ａ）に示すように、外側から内側まで弁体１の軸芯方向にほぼ垂直になっていてもよく、また、ガイド部１８の内側部に、図３（Ｂ）に示すように、下流側に延びる筒状部分１８ａが形成されていてもよい。そして、この筒状部分１８ａは、上流側から下流側までその径がほぼ均一であってもよいし、下流側ほど径が大となっていても小となっていてもよい。
【図面の簡単な説明】
【００１８】
【図１】本発明の一実施例に係る湯水混合水栓の要部の構成を概略的に示す説明図である。
【図２】（Ａ）および（Ｂ）は、弁体の構成を概略的に示す縦断面図および背面図である。
【図３】（Ａ）および（Ｂ）は、それぞれ、弁体の変形例の構成を概略的に示す説明図である。
【符号の説明】
【００１９】
１  弁体
２  湯弁座
３  水弁座
４  混合部
１８  ガイド部
【図１】
2005240972.tif 000003
【図２】
2005240972.tif 000004
【図３】
2005240972.tif 000005